(57)【要約】光線力学的治療(photodynamic therapy：ＰＤＴ)が、発毛数を増加及び脱毛部分の発毛回復を刺激可能であることが見出された。本発明の方法は、ａ）ターゲットの皮膚に有効且つ／又は十分量の光線感作物質を投与するステップ、（ｂ）、光線感作物質を活性化することができる１又は複数の波長を有する光線で、光線感作物質を活性化するのに十分な期間、ターゲット皮膚を照射するステップであって、治療部分で毛髪数が増加することを特徴とするステップ、を含む。本発明の１つの態様においては、３ヶ月以内に硬毛数が２％以上増加する。【特許請求の範囲】
【請求項１】
（ａ）発毛が望まれる皮膚の部分に光線感作物質を投与するステップと、
（ｂ）光線感作物質を活性化するために適切な波長を有するエネルギーで部分を照射するステップ
とを含む、光線力学的療法(photodynamic therapy：ＰＤＴ)を用いた治療方法であって、３ヶ月以内に治療部分の硬毛数が２％以上増加することを特徴とする方法。
【請求項２】
発毛が望まれる皮膚の部分に光線感作物質を投与するステップと、光線感作物質を活性化するために適切な波長を有するエネルギーで該部分を照射するステップとを含む、光線力学的療法を用いた治療方法であって、治療によって、治療部分に少量のＰＤＴ製剤が送達され、その結果該部分の硬毛数が増加することを特徴とする方法。
【請求項３】
治療部分の硬毛数が、２％以上、好ましくは３％以上、より好ましくは４％以上増加することを特徴とする請求項２記載の方法。
【請求項４】
３ヶ月以内に治療部分の硬毛数が、３％以上、好ましくは４％以上増加することを特徴とする請求項１記載の方法。
【請求項５】
光線感作物質を、発毛が望まれる部分に局所的に投与することを特徴とする請求項１〜４のいずれか記載の方法。
【請求項６】
光線感作物質を発毛が望まれる部分に局所的に投与し、これを該部分にマッサージすることを特徴とする請求項１〜５のいずれか記載の方法。
【請求項７】
２０℃での粘度が約５０〜約５００００ｃｐｓである局所製剤の形態で光線感作物質を投与することを特徴とする請求項１〜６のいずれか記載の方法。
【請求項８】
光線感作物質が、プロポルフィリン、ポルフィリン、ポルフィリン誘導体及びこれらの混合物から選択されることを特徴とする請求項１〜７のいずれか記載の方法。
【請求項９】
光線感作物質の投与の５分〜４時間後に、活性化エネルギーを送達することを特徴とする請求項１〜８のいずれか記載の方法。
【請求項１０】
活性化エネルギー量の総送達量が２００Ｊ／ｃｍ２未満であり、好ましくは１００Ｊ／ｃｍ２未満であることを特徴とする請求項１〜９のいずれか記載の方法。
【請求項１１】
治療部分の硬毛数を増加させる、光線力学的治療以外の治療の少なくとも１つを用いて、対象を更に治療することを特徴とする請求項１〜１０のいずれか記載の方法。
【請求項１２】
５−αレダクターゼ阻害剤、ミノキシジル、植毛、スカルプリダクション(scalp reduction)、及びこれらの組合せから選択される光線力学的治療以外の治療の少なくとも１つを用いて対象を治療することを特徴とする請求項１〜１１のいずれか記載の方法。
【請求項１３】
硬毛数の増加が望まれる部分に光線感作物質を投与するステップと、光線感作物質を活性化するために適切な波長を有する活性化エネルギーで該部分を照射するステップとを含む、光線力学的療法を用いた治療方法であって、治療部分の炎症誘発性サイトカインのレベルを上昇させることを特徴とする方法。
【請求項１４】
炎症誘発性サイトカインが、顆粒球マクロファージコロニー刺激因子、インターロイキン−１α、インターロイキン−１β、及びこれらの組合せから選択されることを特徴とする請求項１３記載の方法。
【請求項１５】
対象がアンドロゲン性脱毛症による脱毛を罹患していることを特徴とする請求項１〜１４のいずれか記載の方法。
【請求項１６】
発毛の減少又は脱毛を呈する対象の皮膚における発毛の増加を測定する方法であって、
（ａ）皮膚に光線感作物質を投与するステップ、
（ｂ）光線感作物質に吸収されて、光線感作物質を活性化する波長を有する電磁エネルギーで皮膚を照射するステップ、及び
（ｃ）発毛の増加を測定するステップ
を含み、（ａ）及び（ｂ）の両ステップで治療していない皮膚と比較して発毛の増加を測定することを特徴とする方法。
【請求項１７】
光線感作物質が、４００〜８００ｎｍの放射線を吸収する光線感作物質から選択されることを特徴とする請求項１６記載の方法。
【請求項１８】
光線感作物質を局所使用によって投与することを特徴とする請求項１６又は１７記載の方法。
【請求項１９】
電磁エネルギーが可視光線であることを特徴とする請求項１６〜１８のいずれか記載の方法。
【請求項２０】
発毛の増加を、硬毛数の計測、毛髪重量の測定、毛髪密度の測定及び／又は毛幹の直径の測定によって測定することを特徴とする請求項１６〜１９のいずれか記載の方法。
【発明の詳細な説明】
【技術分野】
【０００１】
本発明は、発毛を促進するための光線力学的治療(photodynamic therapy：ＰＤＴ)の使用に関する。特に、本発明は、アンドロゲン性脱毛症及び円形脱毛症等の、脱毛に関連する症状を治療するための光線感作物質及びＰＤＴの使用に関する。本発明は、さらに、炎症誘発性サイトカインのレベルを上昇させることによって発毛させる光線力学的治療法及び発毛の増加の測定方法に関する。
【背景技術】
【０００２】
脱毛症は、脱毛を含むあらゆる疾患又は症状に関する一般的な用語である。脱毛には、アンドロゲン性脱毛症（ＡＧＡ；Sawaya, M.E. Seminars in Cutaneous Medicine and Surgery 17 (4): 276-283, 1998参照）、円形脱毛症（ＡＡ；Fiedler & Alaiti, Dermatologic Clinics 14(4): 733-738, 1996参照）、及び化学療法による脱毛症や薬剤性脱毛症等のいくつかの異なるタイプがある。アンドロゲン性脱毛症（ＡＧＡ）は、最も一般的なタイプの脱毛症である。ＡＧＡでは多量の毛髪が頭皮から徐々に消失する。この脱毛はパターン化されている。５０歳までの男性の５０％、及び６０歳までの女性の５０％で、重度のＡＧＡが発症する。ＡＧＡは、遺伝的素因と高レベルで存在する循環アンドロゲンとによって引き起こされると考えられている。毛母細胞に存在する５−αレダクターゼは、テストステロンをジヒドロテストステロン（ＤＨＴ）に変換すると考えられている。ＤＨＴは、アンドロゲンレセプターに結合し、また、毛母細胞に局在し、結果的に（１）毛髪サイクルのアナゲン期すなわち成長期の短縮、（２）テロゲン期に毛髪が抜け落ちた後、毛髪サイクルが休止期に移行、（３）アナゲン期の毛髪が作る内径が縮小される、毛包の縮小化、という変化を毛包にもたらす。５−αレダクターゼ及び／又はアンドロゲンレセプターの発現が様々なタイプの毛包において異なることが、発毛又は脱毛のパターン化の原因となっていると考えられる。
【０００３】
現在認可されているＡＧＡの治療薬には、抗高血圧治療薬ミノキシジル(RogaineTM)が含まれるが、この治療薬の発毛を促進する作用機序は不明である。ミノキシジルは、１日２回局所的に塗付しなくてはならず、そのため使用が若干不便である。２％ミノキシジルを使用すると、４〜１２ヵ月に硬毛数が増加することが、研究の成果から示されている(De Villez et al, Journal of the American Academy of Dermatology, Vol. 16, No. 3, Part 2 (March 1987) 669-672) 。しかしこの効果は、時間と共に又は一旦治療を中止すると消失する。ＡＧＡの治療に使用されるもう１つの薬剤は、２型イソ酵素５−αレダクターゼの選択的阻害剤、フィナステリド(PropeciaTM)である。この治療の効能には限界があり(has marginal efficacy)、毎日経口投与を行う必要があり、性欲の変化等の抗アンドロゲン副作用が起こる可能性がある。毛髪移植及び頭皮縮小法(scalp reduction)も、ＡＧＡによって毛髪が抜け落ちた患者に行われる。多くの人々にとっては、これらの方法は高額で時間を要する。その上、治療が外科的性質であることから、治療を思いとどまる人が多い。
【０００４】
光化学治療は、円形脱毛症（ＡＡ）の治療として提案されてきた。この提案されている治療には、ソラレン及び高エネルギーＵＶＡ（ＰＵＶＡ）療法が用いられるが、成功する可能性は非常に限られており、ＡＡに対する効果は疑わしい(Lebwohl, M. Lancet 349: 222-223, 1997)。吐き気、色素変化、皮膚癌形成のリスク、及び白内障等のＰＵＶＡ療法の副作用が報告されている(Fiedler & Alaiti, Dermatologic Clinics 14 (4): 733-738, 1996)。ＰＵＶＡ療法の副作用を改善するために、抗酸化剤が使用されている(Ptapenko &Kyagova, Membr. Cell Biol. 12(2): 269-278, 1998) 。ＡＡに、２％ケリン(khellin)（ソラレンに類似した化学構造を有する化合物）を使用し、ＵＶＡを行ったところ、テストした患者１０名のうち５名で成功した(Orasa et al. Int. J. Dermatol. 32(9): 690, 1993)。ケリンは光毒性を誘発しないので、Orasa et alはソラレンの代替物としてケリンの使用を示唆している。ヘマトポルフィリン及び高エネルギーＵＶＡは、Monfrcola et al. (Photodermatology 4: 305-306, 1987)の非常に限定された研究に使用されている。２名の患者にヘマトポルフィラン（０．５％、ＨＰ）を局所的に投与し、８週間にわたり週３回ＵＶＡを照射して、治療を行った。治療の第一週目には、ＨＰ治療部位で、顕著な紅斑や軽度の落屑が見られ、その後色素沈着過剰となった。副作用は、数時間に及ぶ皮膚の不快な赤みや、照射段階での焼け付くような感覚等であった。Monfrcola et al.は、１％より高濃度のＨＰを使用すると、重度の光毒性反応が起こる場合があることを指摘している。また、Monfrcola et al.は、このアプローチを日常的な臨床用途に使用するには、更に多くの研究が必要であることも述べている。
【０００５】
効果的で、硬毛の数が迅速に増加するが、副作用は最小限であり、外科手術を行わない方法が望まれている。
【０００６】
光線力学的治療（ＰＤＴ）は、光線感作物質と呼ばれる光に活性化される薬剤を使用して患部を治療する、最小限に侵襲的な２ステップの医療である。まず光線感作物質を投与し、物質がターゲット組織に浸透した後、特定の波長の光線量に曝露することによって、直ちに光線感作物質を活性化する。光線力学的治療は、非小細胞肺癌(photofrinTM)、老人性白内障(VisudyneTM)、化学線作用角化症(MetvixTM、LevulanTM)、及び規定細胞癌(MetvixTM)の治療をはじめとする多くの療法に許可されてきた。
【０００７】
光線力学的治療（ＰＤＴ）を、ヒトの対象の、不要な体毛の除去に使用可能であることが提唱されてきた。手短に言えば、治療には、光線感作物質が吸収される間、光線感作物質を皮膚の選択した部位へ局所的に投与し、その後その部位を間欠的又は継続的に照射する又は振動することが含まれる。外プロセスには、毛包の不活化若しくは破壊、又は毛包に栄養を与える組織の破壊が含まれる（米国特許第５，６６９，９１６号、同第５，８７１，４８０号、及び国際公開公報第９７／３２０４６号参照）。
【０００８】
上記の文献は、前述のいずれかが関連性のある先行技術であることを認めるために引用したものではない。これらの文献の内容に関する日付又は表示に関する全ての記述は、本出願人が入手し得た情報に基づいているが、この情報は、これらの文献の日時又は内容の正確性に関して承認するものではない。
【非特許文献１】Sawaya, M.E. Seminars in Cutaneous Medicine and Surgery 17 (4): 276-283, 1998
【非特許文献２】Fiedler & Alaiti, Dermatologic Clinics 14(4): 733-738, 1996
【非特許文献３】De Villez et al, Journal of the American Academy of Dermatology, Vol. 16, No. 3, Part 2 (March 1987) 669-672
【非特許文献４】Lebwohl, M. Lancet 349: 222-223, 1997
【非特許文献５】Ptapenko &Kyagova, Membr. Cell Biol. 12(2): 269-278, 1998
【非特許文献６】Orasa et al. Int. J. Dermatol. 32(9): 690, 1993
【非特許文献７】Monfrcola et al. Photodermatology 4: 305-306, 1987
【特許文献１】米国特許第５，６６９，９１６号
【特許文献２】米国特許第５，８７１，４８０号
【特許文献３】国際公開公報第９７／３２０４６号
【発明の開示】
【０００９】
光線力学的治療（ＰＤＴ）によって毛髪数の増加が刺激され、脱毛部分に発毛が取り戻されることが見出された。本発明のある態様は、
（ａ）ターゲット皮膚に光線感作物質を有効且つ／又は十分量投与するステップ、
（ｂ）ターゲット皮膚に、光線感作物質を活性化することができる１又は複数の波長を有する光線を、光線感作物質を活性化するために十分な期間照射するステップ、及び選択的に
（ｃ）（ａ）及び（ｂ）を反復するステップ
を含み、治療部位において毛髪数が増加することを特徴とする。
【００１０】
本発明のある態様は、３ヶ月以内に硬毛数が２％以上増加することを特徴とする、ＰＤＴによる治療方法に関する。硬毛とは、脂肪分泌線と毛包によって作られる長毛である。１〜２センチ程度の長さしかない場合が多く、色素が少ない又は色素を有さない短毛のうぶ毛(vellus hair)とは異なる。うぶ毛を作る毛包は、脂肪分泌線を有さず、他の種類の毛髪は作らない。硬毛は、胎児に発生する産毛(Lanugo hair)とも異なる。
【００１１】
通常、ＡＧＡ等の症状は、経時的に硬毛数が次第に低下するために進行する。硬毛はまた、次第に細く、短くなり、やがてうぶ毛状になる。したがって、本発明の方法によって実際に３ヵ月後に毛髪数を増加できることは、驚くべきことである。本発明の方法は、脱毛の治療のためだけでなく、脱毛であると認められない部分で発毛を刺激するために使用される。
【００１２】
本明細書に記載されるように、「発毛」なる語は、存在する硬毛数の増加を意味する。硬毛数は、多くの方法で計測することができる。例えば、マクロフォトグラフでコンピュータを使用して計測を行う、訓練を積んだ有資格技術者によって、硬毛を計測することができる。手短に言えば、頭皮上のターゲット部位を選択し、毛髪を切り（clipped）、次の光学的な治療期間のそれぞれで、正確な位置決めが容易になるように、頭皮に１つの点を入れ墨で永続的にマークする。あらかじめセットしたマイクロレンズとスタンド付きのカメラを使用し、マイクロフォトグラフィーを行うと、一定の再生率が得られ、写真を取る部位を再生可能に照らす電気的フラッシュが得られる。入れ墨を使用し、カメラを中央に設置し、画像を３枚セットで取る、カラースライドフィルムを中央の設備(a central facility)で処理する。画像の質を評価し、最も良い画像のスライドを作成する。かかるスライドのターゲットのサークルの硬毛髪を、訓練を積んだ技術者によって計測する。
【発明を実施するための最良の形態】
【００１３】
本発明は、発毛可能なあらゆる対象に使用される。好ましくは、発毛の減少若しくは脱毛を呈する又は発毛の減少若しくは脱毛が疑わしい皮膚組織に、本発明を投与する。好ましい対象には哺乳動物が含まれ、特に好ましい対象はヒトである。本発明は対象、特にＡＧＡを罹患したヒトの治療に有用である。
【００１４】
理論に縛られることを望んではいないが、本方法は、治療部位において、１又は複数の特定の成長因子及び／又はサイトカインの組織におけるレベルの上昇を刺激すると考えられる。続いて、これらの因子は、直接的に又は他の生化学的シグナル経路によって、休止中の毛包を刺激し、アナゲン（発毛）期に移行させる。ＰＤＴによる発毛では、インターロイキン−１α、インターロイキン−１β、又は顆粒球マクロファージコロニー刺激因子（ＧＭ−ＣＳＦ）等の炎症誘発性サイトカインが、発毛、特に本明細書に記載された硬毛の発毛を促進する役割を担っていると考えられる。これらのサイトカインを産生可能な細胞には、マクロファージ、ケラチノサイト、皮膚繊維芽細胞、毛母細胞及びＴ細胞が含まれる。他の症状の治療におけるこれらの増加の使用も、本発明に含まれる。
【００１５】
ＩＬ−１及びＧＭ−ＣＳＦ等の炎症誘発性サイトカインは、組織において多様な効果を有することが知られている。これらの作用には、様々な生化学的なメディエータの作製の刺激、特定の細胞表面受容体の発現のアップレギュレート、及び好中球並びにマクロファージ等の炎症誘発性の細胞型の活性化並びに組織浸潤が含まれる。しかし、ＩＬ−１が発毛ではなく脱毛を誘発することを示唆する一連の証拠があるので、ＩＬ−１の増加が硬毛数の増加の原因となることは驚くべきことである（例えば、Dermatology 1995, 191, 273-275, Hoffmann et al; Eur J Dermatol 1998, 8, 475-7 Hoffmann et al及びLymphokine & Cytokine Research Vol. 12, Number 4, 1993 Harmon et al参照）。
【００１６】
したがって、本発明はまた、ＰＤＴによって、皮膚組織の炎症誘発性サイトカインのレベルを上昇させる方法に関する。特に、光線力学的治療でターゲット部位を治療することによって、部位の炎症誘発性サイトカインのレベルを上昇させ、それによって硬毛数を増加させる方法に関する。本発明の方法は、好ましくは、顆粒球マクロファージコロニー刺激因子、インターロイキン−１β（ＩＬ−１β）、及び／又はインターロイキン−１α（ＩＬ−１α）を増加させる。
【００１７】
ある態様において、本発明の方法によって、ＰＤＴ治療後３ヶ月以内に、硬毛数が少なくとも２％増加する。好ましくは本発明によって、３ヶ月以内に、硬毛数が３％以上、より好ましくは４％以上増加する。有効な、“Photographic Document of Hair Growth in Androgenetic Alopecia” (D. Canfield, Dermatologic Clinics, Vol. 14 No.4 (October 1996) 713-721) の方法によって、特定の対象における硬毛数を評価することができる。
【００１８】
本発明は、
（ａ）上述の方法に従って、硬毛数を評価するステップ、
（ｂ）有効量の光線感作物質を投与するステップ、
（ｃ）光線感作物質を活性化することができる１又は複数の波長を有する活性化エネルギーで、光線感作物質を活性化するために十分な期間、ターゲット皮膚を照射するステップ、及び
（ｄ）選択的に（ｂ）並びに（ｃ）を反復するステップ、
（ｅ）上述の方法に従って、硬毛数を評価するステップ
を含むことができ、３ヶ月以内に評価した場合に、硬毛数が、少なくとも２％、好ましくは少なくとも３％、より好ましくは少なくとも４％増加することを特徴とする。
【００１９】
本発明はまた、発毛の減少又は脱毛を呈する対象の皮膚において、発毛の増加を測定する方法に関する。該方法は、
（ａ）皮膚に光線感作物質を投与するステップ、
（ｂ）外光線感作物質に吸収されて、光線感作物質を活性化する波長を有する電磁エネルギーで皮膚を照射するステップ、及び
（ｃ）発毛の増加を測定するステップを含み、
ａ）のステップでもｂ）のステップでも治療されていない皮膚と比較して、発毛の増加の測定が可能であることを特徴とする。治療されていない皮膚は、光線感作物質を投与されていない、及び／又は照射されていないことが好ましい。
【００２０】
好ましくは、光線感作物質は、４００〜８００ｎｍの放射線を吸収する光線感作物から選択される。好ましくは、光線感作物質を局所的投与によって投与する。好ましくは、電磁エネルギーが可視光線である。
【００２１】
発毛の増加は硬毛数の計測、毛髪重量の測定、毛髪密度の測定及び／又は毛幹の直径を測定によって測定することができる。好ましくは、上述のように、発毛の増加を、硬毛数を計測することによって測定する。
【００２２】
本明細書には、適切な光線感作物質又は薬剤の混合物を使用してよい。可視光線によって活性化される適切な光線感作物質又は薬剤の混合物が好ましい。一般的には、これらは約３８０〜約９００nmの放射線を吸収する。好ましくは、これらは４００〜８００nmの放射線を吸収する。より好ましくは、これらは６００〜７５０nmの放射線を吸収する。好ましくは、光線感作物質がヒトに対して毒性がなく、無毒性組成物に調製することができる。光線感作物質とは、電磁波、最も一般的には可視スペクトルを吸収し、それを他のエネルギー形態として、最も一般的には活性酸素種及び又は熱エネルギーとして放出する物質であると定義される。
【００２３】
感光性の化学物質のリストは、Kreimer-Birnbaum, Sem. Hematol. 26: 157-73, 1989 （本明細書に参照として組み込まれる）及びRedmond and Gamlin, Photochem. Photobiol. 70 (4): 391-475 (1999)に記載されている。プロ−ポルフィリン５−アミノレブリン酸（ＡＬＡ）等のプロドラッグ並びにアミノレブリン酸エステル等のその誘導体、ポルフィリン並びにクロリン、バクテリオクロリン、イソバクテリオクロリン、フタロシアニン、ナフタロシアニン等のポルフィリン誘導体、及び他の大環状テトラ化合物及び大環状ポリ化合物並びに関連する化合物（ピオフェオホルバイド、サフィリン及びテキサフィリン等）を含むがこれらに限定されない、様々な合成及び天然の光線感作物質、及びスズ、アルミニウム、亜鉛、ルテチウム、スズエチルetiopurpurin（ＳｎＥＴ２）等を含むがこれらに限定されない金属錯体を使用して、本発明を実施する。Tetrahydrochlorin、purpurin、ポルフィセン及びphenothiaziniumも、本発明の範囲に含まれる。適切な化合物の例のいくつかには、米国特許第６，４６２，１９２号、第６，４４４，１９４号、６，３７６，４８３号、国際公開公報第０３／０２８６２８号、国際公開公報第０３／０２８６２９号、国際公開公報第０２／０９６１４７号及び国際公開公報第０２／０９６３６６号に記載された化合物が含まれるがこれらに限定されず、これら全ては参照することにより本明細書に組み込まれる。
【００２４】
好ましくは、本明細書の光線感作物質が、プロポルフィリン、ポルフィリン及びそれらの混合物から選択される。LevulanTM等のアミノレブリン酸、国際公開公報第０２／１０１２０号に記載され、MetvixTM、HexvixTM及びBenzvixTMとして入手可能なアミノレブリン酸エステル、欧州特許公報第３３７，６０１号又は国際公開公報第０１／６６５５０号に記載され、FoscanTM (temoporfin)として入手可能なジヒドロ又はテトラヒドロ−ポルフィリン、porfimerナトリウム（PhotofrinTMとして入手可能）、VisudyneTM、ベンゾポルフィリン誘導体（下記により詳細に記載する）及びその混合物等を含む例もある。
【００２５】
本発明の好ましい実施態様において、光線感作物質は、グリーンポルフィリンとして知られる特に強力な光線感作物質の群から選択される。このグリーンポルフィリンは、米国特許第５，１７１，７４９号（参照することによって本明細書に組み込まれる）に詳細に記載されている。「グリーンポルフィリン」なる用語は、ディールス−アルダー反応で、ポルフィリン核をアルキンと反応させて、mono-hydrobenzoporphyrinを得ることによって得られたポルフィリン誘導体を意味する。結果として生じたこれらのmacropyrrolic compoundは、様々な構造的アナログを有する合成クロリン様ポルフィリンである、ベンゾポルフィリン誘導体（ＢＰＤ）と呼ばれ、米国特許第５，１７１，７４９号に示されている。一般に、利用可能な２つのうち１つのみが共役するプロトポルフィリン−IX環系（Ａ環及びＢ環）に存在する非芳香族ジエン構造で反応を促進する条件下で、アセチレン誘導体とプロトポルフィリンとのディールス−アルダー反応によって得られたtetrapyrrolic ポルフィリン誘導体の群から、グリーンポルフィリンを選択する。金属カチオンで環系の中央の１つ又は２つの水素が置換されている、Ｇｐのメタレート形を、本発明を実施する際に使用してもよい。本発明に有用なグリーンポルフィリン化合物の調製は、米国特許第５，０９５，０３０号（参照することによって、本発明に組み込まれる）に詳細に記載されている。
【００２６】
好ましくは、ＢＰＤが、ベンゾポルフィリン誘導体ジエステル二酸（ＢＰＤ−ＤＡ）、mono-acid ring A（ＢＰＤ−ＭＡ）、mono-acid ring B（ＢＰＤ−ＭＢ）又はこれらの混合物である。これらの化合物は波長が約６９２ｎｍの光を吸収する。また、これらの化合物では組織浸透特性が改善されている。式ＢＰＤ−ＭＡの化合物と式ＢＰＤ−ＭＢの化合物とは、Ｃ環carbalkoxyethylのみ又はＤ環carbalkoxyethylのみが加水分解された同種であってもよく、或いはＣ及びＤ環の置換基のhydrolyzateの混合物であってもよい。本方法には、他のＢＰＤ  Ｂ環誘導体の多くを使用してもよい。これらの誘導体は、以下の一般式を有する。
【００２７】
【化１】
2006514567.tif 000002
【００２８】
ただし、Ｒ５がビニル、Ｒ１及びＲ６がメチル、ｎが２である。Ｘ１、Ｘ２及びＸ３は、以下の表に列挙されている。
【００２９】
【表１】
2006514567.tif 000003
【００３０】
【表２】
2006514567.tif 000004
【００３１】
好ましい光線感作物質は、ベンゾポルフィリン誘導体mono-acid（ＢＰＤ−ＭＡ）、ＱＬＴ００７４（米国特許第５，９２９，１０５号に示され、該特許中でＡ−ＥＡ６と称される）、及びＢ３（米国特許第５，９９０，１４９号に示される）である。最も好ましくは、光線感作物質が以下の構造を有するＱＬＴ００７４である。
【００３２】
【化２】
2006514567.tif 000005
【００３３】
更に、ターゲッティングを容易にするために、本発明で使用される光線感作物質を様々なリガンドに共役する。リガンドには、レセプター特異的リガンド並びにイムノグロブリン及びこれらのフラグメントが含まれる。好ましいリガンドには、一般的な抗体並びにモノクローナル抗体及びこれらの免疫学的な反応フラグメントが含まれる。
【００３４】
グリーンポルフィリンの二量体形、及びグリーンポルフィリン／ポルフィリン結合の二量体又は多量体を使用することができる。ポルフィリン自体の二量化又及びオリゴマー化に対する反応アナログを使用して、本発明の二量体及びオリゴマー化合物を調製することができる。グリーンポルフィリン又はグリーンポルフィリン／ポルフィリンの架橋は直接的に形成され、或いはポルフィリンが結合し、その後、末端のポルフィリンの一方又は両方のディールス−アルダー反応によって、これらを対応するグリーンポルフィリンに変化させる。２つ以上の光線感作物質を組み合わせて、本発明の実施に使用してもよい。
【００３５】
上述の好ましい光線感作物質に加え、本発明に有用な光線感作物質の更なる例には、米国特許第５，２８３，２５５号、第４，９２０，１４３号、第４，８８３，７９０号、第５，０９５，０３０号並びに第５，１７１，７４９号に開示されたグリーンポルフィリン、及び米国特許第５，８８０，１４５号並びに第５，９９０，１４９号で論じられたグリーンポルフィリン誘導体が含まれるが、これらに限定されない。典型的なグリーンポルフィリンの構造のいくつかは、上記特許に示されており、該化合物の製造の詳細についても詳述されている。
【００３６】
本発明における使用に好ましい光線感作物質は、以下の一般的な基準を満たすものである。
１）ターゲットの毛包及び／又はその周囲の組織並びに細胞に入ることができる、及び
２）照射、好ましくは光線の照射（より好ましくは可視光線の照射）により、発毛が刺激される及び／又は回復する。
【００３７】
ある実施態様において、本発明の方法を使用して初期診断後に発毛を刺激する及び／又は回復させる。他の実施態様において、本発明の方法の後に、大量の脱毛を防ぐ及び又は／発毛を維持するための療法として、ＰＤＴ等の脱毛症の他の治療を行う。後者を使用して脱毛症の再発を予防する又は抑制する。
【００３８】
本発明は更に、硬毛数を増加させる方法であって、硬毛数の増加が望まれる部分に光線力学的物質を投与するステップと、治療部位において硬毛数を増加させる二次的治療を少なくとも１つ行うステップを含み、かかる二次的治療が光線力学的治療ではないことを特徴とする方法に関する。かかる非光線力学的治療は、いずれの適切なレジメンであってもよいが、ＰＤＴ治療とは異なる作用法によって硬毛数を増加させることが好ましい。例えば、局所的治療又は全身治療である。好ましくはかかる二次的治療が、５−αレダクターゼ阻害剤、ミノキシジル、毛髪移植、頭皮縮小法(scalp reduction)及びこれらの組合せから選択される。より好ましくは、かかる二次的治療が、５−αレダクターゼ阻害剤、ミノキシジル及びこれらの組合せから選択される。例えば、RogainTM又はPropeciaＴＭをＰＤＴ治療と組み合わせて使用する。
【００３９】
本明細書の好ましい方法の１つは、
ａ）光線感作物質をターゲット組織に局所的に投与するステップ、
ｂ）ターゲット組織を、光線感作物質を活性化するために適切な波長の放射線で照射するステップ、
ｃ）治療部位において硬毛数を増加させる非光線力学的治療を少なくとも１つ行うステップ
を含む。
【００４０】
非光線力学的治療は、ＰＤＴ治療の前の、同時の又は後の、いずれの適切な時期に行うことができる。非光線力学的治療を、５−αレダクターゼ阻害剤、ミノキシジル、及びこれらの組合せから選択することが好ましい。
【００４１】
非光線力学的治療がミノキシジルである場合は、局所用溶剤として用いることが好ましい。好ましくは、かかる溶剤を１日に１〜４回投与し、より好ましくは１日に２回投与する。かかる溶剤をあらゆる適切な濃度とすることができるが、好ましくは約１〜約１０％、より好ましくは約２〜約５％の濃度とすることができる。
【００４２】
非光線力学的治療が５−αレダクターゼ阻害剤である場合は、経口投与が好ましい。好ましい５−αレダクターゼ阻害剤はフィナステリドである。好ましくは、フィナステリドを１ｍｇの経口錠として投与し、好ましくは１日に１回摂取する。
【００４３】
本発明の方法を使用して、更に発毛が望まれるあらゆる状況で発毛を刺激することができる。条件は以下に限定されないが、特に、成長期脱毛症、薬剤による脱毛症、放射線治療による脱毛症、中毒性脱毛症、びまん性円形脱毛症、円形脱毛症、loose anagen syndrome、手術後の後頭部脱毛症、梅毒、けん引性脱毛症、抜毛症、頭部白癬、休止期脱毛症、妊娠性休止期、慢性休止期脱毛症、初期のアンドロゲン性脱毛症、鉄欠乏症、栄養不良／吸収障害、甲状腺機能低下症、甲状腺機能亢進症、全身性エリテマトーデス、慢性腎不全、肝不全、進行性の悪性腫瘍、ウイルス感染、細菌感染及びアンドロゲン性脱毛症を含む様々な条件に関連した脱毛を対象が経験している場合、本発明の方法は有用である。特に、本発明の方法は、アンドロゲン性脱毛症や薬剤による脱毛症（癌の化学療法後等）における脱毛や、放射線治療による脱毛の回復に有用である。
【００４４】
本発明の光線感作物質を様々な組成物に調製してよい。これらの組成物は、等張化剤、ｐＨ調節剤、溶媒、可溶化剤、色素、ゲル化剤、並びに増粘剤等の従来の送達用賦形剤、賦形剤及び緩衝液等の意図する目的に適したあらゆる成分を含んでいてもよく、これらの組合せを含んでいてもよい。本光線感作物質を用いた使用に適する製剤形態は、Remington’s Pharmaceutical Sciences等に記載されている。本明細書の好ましい製剤形態には、光線感作物質又は薬学的賦形剤を、発毛が減少した又は脱毛した部位に向けることのできる担体が含まれる。光線感作物質と共に使用する適切な賦形剤には、水、生理的食塩水、ブドウ糖、グリセロール等が含まれる。
【００４５】
一般に、外界温度等の適切な温度、適切なｐＨ、及び望ましい純度で、１又は複数の生理学的に許容できる担体、すなわち用いられる投与量及び濃度において毒性でない１又複数の担体と混合することによって、光線感作物質を調製する。概ね、製剤のｐＨは、主に特定の用途や光線感作物質の濃度によって変わるが、約３〜約８のいずれかであることが好ましい。好ましくは、光線感作物質を生理学的範囲のｐＨ（例えば約６．５〜７．５）に維持する。塩は必要ではなく、したがって、製剤は好ましくは電解液でない。
【００４６】
本明細書の製剤は、好ましくは皮膚浸透促進剤を含む。光線感作剤の送達を助けるのに適したあらゆる皮膚浸透促進剤を、本明細書に使用することができる。皮膚浸透促進剤は、“Pharmaceutical Skin Penetration Enhancement” (1993) Walters, K.A., ed.; Hadgraft, J., ed-New York, N.Y. Marcel Dekker及び“Skin Penetration Enhancers cited in the Technical Literature” Osboune, D.W. Pharmaceutical Technology, November 1997, pp 59-65”に記載されている。これらは両方とも、参照することによって本明細書に組み込まれる。本明細書に記載される製剤における使用に好ましいのは、疎水性皮膚浸透促進剤である。
【００４７】
好ましい皮膚浸透促進剤は、グリコールエーテル、脂肪酸、脂肪酸エステル、グリコールエステル、グリセリド、azones、ポリソルベート、アルコール、ジメチルスルホキシド及びこれらの混合物から選択される。本明細書に使用する好ましい皮膚浸透促進剤には、ジエチレングリコールモノエチルエーテル(Transcutol(R))、オレイルアルコール、オレイン酸、Asone（Laurocapram又は1-n-Dodecyl azcycloheptan-2-one）、脂肪及び脂肪酸プロピレングリコールモノエステル及びジエステル（プロピレングリコールmonocaprylate、プロピレングリコールmonolaurate等）、トリグリセリド及び脂質（リノール酸）、macrogolglycerides又はポリエチレングリコールグリセリド及び脂肪酸エステル（stearoyl macrogolglycerides、oleoyl macrogolglycerides、lauroyl macrogolglycerides、oleyl macrogol-6-glycerides、lauroyl macrogol-6-glycerides等）、ポリエチレングリコールのグリセリド及び脂肪酸エステル（caprylocaproyl macrogolglycerides、capryl-caproyl macrogolglycerides、oleoyl macrogolglycerides等）、Polyoxyl 40 Hydrogenated Caster Oil (Cremophor RH 40)、ポリソルベート８０(Tween 80)、米国特許第４，８６１，７６４号に記載されたようなDodecylazacycloheptane、ＳＥＰＡ(R)（2-n-nonyl-1,3-dioxolane等）、及びこれらの混合物が含まれるが、これらに限定されない。より好ましくは、ジエチレングリコールモノエチルエーテル（商標TranscutolでGattefosseから入手可能である)である。
【００４８】
製剤が、皮膚浸透促進剤を約０．１〜約９９重量％、好ましくは約０．１〜約９０重量％、より好ましくは約５〜約９０重量％、更に好ましくは約１５〜７５重量％含む。
【００４９】
皮膚浸透促進剤に対する光線感作物質の割合は、組成物全体の重量％の、約１：２０〜約１：１００００、より好ましくは１：６０〜１：３００である。
【００５０】
特に、光線感作物質が疎水性である場合は、光線感作物質を可溶化することが好ましい。グリーンポルフィリン等の特定の光線感作物質を可溶化する方法の１つは、リポゾームでの調製である。他の方法は、シクロデキストリン又はシクロデキストリン誘導体での光線感作物質の可溶化である。好ましくは、部分的にエーテル化したシクロデキストリンであり、そのエーテル置換基はヒドロキシエチル基、ヒドロキシプロピル基、又はジヒドロキシル基である。しかし、適切なシクロデキストリンは、本明細書に開示された光線感作剤と共に使用するのに適した大きさと高次構造を備えていなくてはならない。
【００５１】
特定の光線感作物質を可溶化するために適した他の方法には、皮膚組織及び細胞の治療に使用できる、ＤＭＳＯ（ジメチルスルホキシド）、ポリエチレングリコール（ＰＥＧ）又は他のあらゆる溶媒の使用が含まれるが、溶媒は、これらに限定されない。本明細書の製剤は可溶化剤を含んでいることが好ましい。浸透促進剤でもある可溶化剤もあり、本明細書の製剤は、光線感作物質の可溶化剤でもある浸透促進剤を含んでいることが好ましい。好ましくは、可溶化剤はグリコールエーテル、ポリエチレングリコール、ポリエチレングリコール誘導体、プロピレングリコール、プロピレングリコール誘導体、ポリソルベート（TweenTM等）、脂肪アルコール、芳香族アルコール、プロピレングリコール、グリセロール、油、界面活性剤、グルコシド及びこれらの混合物から選択される。より好ましくは、ジエチレングリコールモノエチルエーテル(Transcutol(R))、平均分子量が１００〜５０００のポリエチレングリコール、トリエチレングリコール、テトラエチレングリコール、ペンタエチレングリコール、ヘキサエチレングリコール、セプタエチレングリコール、オクタエチレングリコール、プロピレングリコール、脂肪並びに脂肪酸プロピレングリコールモノエステル並びにジエステル（モノカプリル酸プロピレングリコール、モノラウリン酸プロピレングリコール）、ベンジルアルコール、グリセロール、オレイルアルコール、鉱物油、ラノリン／ラノリン誘導体、ワセリン又は皮膚への使用に適した他の石油製品、脂肪並びに脂肪酸プロピレングリコールモノエステル並びにジエステル、macrogol、macrogolglycerides又はポリエチレングリコールグリセリド及び脂肪エステル（stearoyl macroglycerides、oleoyl macroglyceride、lauroyl macroglyceride、linoleoyl macrogolglycerid（Cremophor−ポリオキシ水性のひまし油等）のethoxylatedなひまし油、Ｃ−６〜Ｃ３０トリグリセリド、天然油、グルコシド（セテアリルグルコシド）、界面活性剤及びこれらの混合物から、可溶化剤が選択される。より好ましくは、可溶化剤が、ジエチレングリコールモノエチルエーテル(Transcutol(R))、オレイルアルコール、及びこれらの混合物から選択される。
【００５２】
本明細書の製剤が、約０．１．〜約９９重量％である可溶化剤を含むことが好ましく、約１〜約７５重量％である可溶化剤を含むことがより好ましい。
【００５３】
製剤が、２０℃で約５０〜約５００００ｃｐｓの粘性を有することが好ましく、約５００〜約４００００ｃｐｓがより好ましく、約５０００〜約３００００ｃｐｓが更に好ましい。それに粘性を対応させることが必要な場合は、粘性改良剤を用いてこれを行うことができる。好ましい粘性改良剤は、ポリエチレングリコール、アクリル酸ベースのポリマー（carbopol polymers又はカルボマー）、アリルスクロース又はアリルペンタエリスリトール（carbopol homopolymers）で架橋されたアクリル酸のポリマー、長鎖（Ｃ１０〜Ｃ３０）アルキルアクリレートで修飾され、アリルペンタエリスリトール(carbopol comopolymers)で架橋されたアクリル酸のポリマー、及びプルロニック（ブロックポリマー、ポロキサマー１２４、１８８、２３７、３３８、４０７等）としても知られるポロキサマー、ワックス（パラフィン、グリセリルモノステアレート、ジエチレングリコールモノステアレート、プロピレングリコールモノステアレート、エチレングリコールモノステアレート、グリコールモノステアレート）、ハードファット（飽和Ｃ８〜Ｃ１８脂肪酸グリセリド）、キサンタンガム、ポリビニルアルコール、固形アルコール、及びこれらの混合物から選択される。
【００５４】
好ましい実施態様において、製剤は、１又は複数のＰＥＧを含有する。製剤が、平均分子量が約２０００以下、好ましくは約１５００以下、好ましくは約１０００以下、好ましくは約８００以下、好ましくは約６００以下、好ましくは約５００以下、好ましくは約４００以下のＰＥＧを少なくとも１つ含むことが好ましい。製剤は、平均分子量が約３０００以上、好ましくは約３３５０以上、好ましくは３５００以上のＰＥＧを少なくとも１つ含むことが好ましい。製剤はＰＥＧの混合物を含むことが好ましい。より好ましくは、１つのＰＥＧの平均分子量が約８００以下であり、１つのＰＥＧの平均分子量が３０００以上である。
【００５５】
本発明で使用するために好ましい製剤には、光線感作物質（特にグリーンポルフィリン）、ＰＥＧ２００等の低分子量ＰＥＧ、ジエチレングリコールモノエチルエーテル(Transcutol(R))、ＰＥＧ３３５０等の高分子量ＰＥＧ及びオレイルアルコール等の脂肪アルコールが含まれる。
【００５６】
本明細書の製剤は他の様々な成分を含んでもよい。本明細書にはあらゆる適切な成分を使用してもよいが、典型的にはこれらの任意的な成分によって、製剤が化粧品として更に許容可能となる、又はその使用により更なるメリットが提供される。好ましい任意的な成分の例には、乳化剤、保湿剤、皮膚軟化剤、界面活性剤、油、ワックス、脂肪アルコール、分散剤、skin-benefit agent、ｐＨ調整剤、染料／着色料、鎮痛剤、香料、保存料及びこれらの混合物が含まれるが、これらに限定されない。
【００５７】
適切な保存料の例には、パラベン、ベンジルアルコール、クオタニウム１５、イミダゾリジニル尿素、二ナトリウムＥＤＴＡ、メチルイソチアゾニン、アルコール、及びこれらの混合物が含まれるが、これらに限定されない。適切な乳化剤の例には、ワックス、ソルビタンエステル、ポリソルベート、ethoxylated castor oil、ethoxylated fatty alcohols、macrogolglycerides又はポリエチレングリコールグリセリド及び脂肪エステル（stearoyl macrogoglycerides、oleoyl macroglyceride、lauroyl macroglyceride等）、飽和脂肪酸のエステル（diethylene glycol parmitostearate等）、セトステアリルエーテルのmacrogol（macrogol−６−セトステアリルエーテル等）、高分子量のポリマー、架橋されたアクリル酸のポリマー（carbopols 又はcarbomers）及びこれらの混合物が含まれるが、これらに限定されない。適切な皮膚軟化剤の例には、propylene glycol dipelargonate、２−ミリスチン酸オクチルドデシル、non-polar ester、トリグリセリド並びにエステル（動物油及び植物油）、ラノリン、ラノリン誘導体、コレステロール、グルコシド（セテアリルグルコシド等）、pegylated lanolin、エトキシル化グリセリド及びこれらの混合物が含まれるが、これらに限定されない。適切な界面活性剤の例には、ソルビタンエステル、ポリソルベート、sarcosinates、taurate、ethoxylated castor oil、ethoxylated fatty alcohols、エトキシル化グリセリド、caprylocaproyl macrogol-8 glycerides、polyglyceryl-6 dioleate及びこれらの混合物が含まれるが、これらに限定されない。適切な油の例には、propylene glycol monocaprylate、中鎖トリグリセリド（ＭＣＴ）、２−オクチル−ミリスチン酸ドデシル、エチルヘキサン酸セテアリル、及びこれらの混合物が含まれるが、これらに限定されない。適切な脂肪アルコールの例には、セトステアリルアルコール、セチルアルコール、ステアリルアルコール、及びこれらの混合物が含まれるが、これらに限定されない。脂質及びトリグリセリド（種油脂質濃縮物、魚油濃縮物、高純度トリグリセリド並びにエステル）、アルキルエーテル硫酸塩、アルキルポリグリコシド、アルキル硫酸塩、amphoterics cream bases、及びこれらの混合物も本明細書の製剤に有用である。
【００５８】
使用の直前に再構成する乾燥製剤の製剤についても、検討する。乾燥製剤又は凍結乾燥製剤を、本発明の溶液から既知の方法によって簡便に得ることができる。本発明の乾燥製剤も保管も可能である。従来の技法を用いて、特に水分を共沸除去するために溶媒、典型的にはトルエンとエタノールとの混合物を添加した後、穏やかな条件下で溶液を乾燥するまで蒸発させることができる。その後残基を簡便に、例えば数時間乾燥室で乾燥させる。
【００５９】
本明細書の方法は、脱毛症の治療として、毛包及び／又は周囲の組織並びに細胞をターゲットする。本発明の製剤を含有する光線感作物質を、全身に又は局所的に投与してよく、単独で又は混合物の成分として使用してよい。局所的投与が好ましい。光線感作物質の投与経路は、経皮的、静脈内、及び経口であってよく、インプラントを使用する投与であってもよい。経皮的投与経路が好ましい。例えば、局所用ローション、局所用クリーム、局所用ペースト、局所用懸濁液、静脈注射若しくは注入、経口摂取、又は皮内注射若しくはインプラントの形式による局所的な投与によって、グリーンポルフィリンを投与する。他の投与経路には、光線感作物質物質の、従来の形又は簡便な形での、皮下注射、筋肉注射、腹腔内投与が含まれる。
【００６０】
局所的製剤（軟膏等）を皮膚表面に塗付するために、賦形剤中の光線感作物質の濃度を、好ましくは約０．００１〜約１０％ｗ／ｗ、より好ましくは約０．００５〜約５％ｗ／ｗ、更に好ましくは約０．０１〜約１％とする。約０．２％ｗ／ｗの局所的製剤の使用が、特に好ましい。
【００６１】
局所的に投与する場合、光線感作物質を塗付した後、治療する部位をマッサージするのが好ましい。理論に縛られたくはないが、マッサージは、ターゲット組織へ光線感作物質が浸透し広がるのを助けると考えられている。
【００６２】
投与後には、光線感作物質は毛包及び周囲の組織並びに細胞に存在し、光活性化する。適切な活性エネルギー源を用いて適切な波長及び強度を有する活性エネルギーで、照射が行われ、それにより、光線感作物質が活性化し、発毛を刺激する及び／又は回復させる。適切な活性エネルギー源は適切なものであれば何れでもよい。例えば、太陽光又は他の外界のエネルギー源を使用してよいが、使用に好ましいエネルギー源は、伝達されるエネルギー量をコントロール可能な装置である。発毛を「刺激する」又は「回復させる」ことによって、発毛を誘発し、活性化し、蘇らせ、再発させ、元に戻し、又は引き起こす全ての方法が含まれる。好ましくは、照射が可視光線で行われるか、可視光線の波長を含む。
【００６３】
各光線感作物質は、放射線の適切な波長で活性化される必要がある。したがって、本発明の方法を、あらゆる放射線、好ましくは使用する光線感作物質を活性化する光線で実施する。好ましくは、照射が、皮膚を透過して、使用する光線感作物質を活性化することのできる１又は複数の波長を含む。本発明に有用な放射線又は光線の波長は、治療方法の一部として使用する光線感作物質の活性化範囲によって変化する。約３８０〜９００ナノメーター（ｎｍ）の波長が好ましく、これは光線感作物質及び透過を所望する組織の深さによって変わる。より好ましくは、約４００〜約８００ｎｍの波長である。例えば、ＢＰＤ−ＭＡ、グリーンポルフィリン誘導体は、４００〜９００ｎｍの波長を含む外光だけでなく赤色光及び青色光によっても活性化する。４００ｎｍよりも短い波長の光線でもよいが、ＵＶＡ光線による損傷効果の恐れから、好ましくない。
【００６４】
光線感作物質の吸収スペクトルに応じて、いずれかの活性エネルギー源を、光線感作物質を活性化するために使用する。好ましいエネルギー源には、レーザー、発光ダイオード（ＬＥＤ）、白熱灯、アーク灯、標準的な蛍光灯、ＵＶ灯及びこれらの組合せが含まれるが、これらに限定されない。より好ましくはレーザー、発光ダイオード及びこれらの組合せである。
【００６５】
あるいは、あらゆる光線感作物質によって吸収される波長の成分を有する好都合な活性エネルギー源、例えば、手術灯又は太陽光を含むいずれの明光源を使用してもよい。しかし、紫外線領域の波長は、突然変異を誘発する恐れがあるので、通常は避けるべきである。したがって、本方法に使用される活性エネルギーは、紫外線領域でないことが好ましい。
【００６６】
市販の活性エネルギー源には、CureLightＴＭ（Photocure社、ノルウェー、オスロ）、ＢＬＵ−ＵＴＭ（ＤＵＳＡ社、米国、ＭＡ、Wilmington）ＰＤＴレーザー（Diomed社、米国、ＭＡ、Andover）、CeralasＴＭ（Biolitec社、ドイツ、Jena）、及びQ-Been & Quanta-med（Quantum Devices社、米国、ＷＩ、Barneveld）が含まれる。
【００６７】
本明細書で検討するＰＤＴ治療における活性エネルギー量は、必要に応じて変わる。好ましくは、グリーンポルフィリン等の強力な光線感作物質については、全身送達薬用の光線量は約５〜５０Ｊ／ｃｍ２、局所送達薬用の光線量が約２５〜２００Ｊ／ｃｍ２である。総照射量が概ね２００Ｊ／ｃｍ２未満であることが一般的に好ましく、より好ましくは１００Ｊ／ｃｍ２未満である。好ましい照射量は約０．０１〜約２００Ｊ／ｃｍ２の範囲であり、より好ましくは０．１〜約１００Ｊ／ｃｍ２である。例えば、約２５Ｊ／ｃｍ２、約５０Ｊ／ｃｍ２、約７５Ｊ／ｃｍ２、約１００Ｊ／ｃｍ２、約１２５Ｊ／ｃｍ２、約１５０Ｊ／ｃｍ２又は約１７５Ｊ／ｃｍ２である。より好ましい光線量の範囲は、約２５〜約１００Ｊ／ｃｍ２である。更に好ましい光線量の範囲は、約４０〜約８Ｊ／ｃｍ２、特に約５０〜約７５Ｊ／ｃｍ２である。
【００６８】
通常、活性エネルギーの強度は、約６００〜１０００ｍＷ／ｃｍ２を超えてはならない。約１０〜４００ｍＷ／ｃｍ２、より好ましくは２５〜１００ｍＷ／ｃｍ２の照射である。
【００６９】
通常、照射は約１０秒〜約４時間継続し、好ましくは約５分〜１時間継続する。照射時間は、約１０分、約１５分、約２０分、約３０分、約４５分、約６０分、約７５分、約９０分、約１０５分、約１２０分、約１３５分、約１５０分、約１６５分及び約１８０分とする。
【００７０】
理論に縛られたくはないが、光線感作物質、製剤及び活性エネルギーがそれぞれ異なると、発毛を誘引するためには異なるパラメータが必要となると考えられている。これらのパラメータは、単純な投与量決定試験によって決定することができる。例えば、適切な方法には、
（ａ）硬毛数を計測するステップ、
（ｂ）様々な強度の光線感作物質成分を投与するステップ、
（ｃ）様々な長さの時間、待つステップ
（ｄ）様々な活性エネルギー量で治療するステップ、
（ｅ）適切な時間をおいて硬毛数を再評価するステップ
が含まれる。
【００７１】
或いは、毛髪密度、毛髪重量及び／又は毛幹の直径等の発毛を評価する他の方法が、研究に含まれることもある。
【００７２】
本発明が、治療部位で過度の細胞死を引き起こすＰＤＴ量を含まないことが好ましい。ＰＤＴ量は、存在する光線感作物質量と送達された活性エネルギー量の２つの因子によって決定される。理論に縛られたくはないが、ＰＤＴが発毛を刺激する機序は、炎症誘発性サイトカインのレベルを上昇させることによると考えられている。これらのサイトカインが生物化学的経路で作用することによって、毛包が硬毛を発毛できるようになると考えられる。ＰＤＴ量が炎症誘発性サイトカインのレベルを上昇させるためには十分高いが、過度の細胞死や結果として生じる組織の損傷等の不当な副作用を避けるためには十分に低い特定の量の範囲が存在する可能性がある。さらに、上述のように、ＰＤＴが脱毛に使用可能であることが示唆されてきたが、本発明者らは、ＰＤＴが脱毛を促進することは見出さなかった。理論に縛られたくはないが、ＰＤＴ量が高いと、脱毛が促進するような影響が毛包に影響を及ぼされ、ＰＤＴ量が低いと硬毛数の増加を刺激する可能性がある。本明細書に使用する「低ＰＤＴ量」は、過度の細胞死の原因とならないＰＤＴ量である。
【００７３】
活性エネルギーを使用する場合、治療部位では毛髪で覆われている部分が最小限であることが好ましい。したがって、治療部位の毛髪で覆われている部分が著しく広いときは、活性エネルギーを使用する前に、毛髪を短く切るか、剃毛することが好ましい。理論に縛られたくはないが、毛髪には保護機能があるという事実から、毛髪に覆われていると、特に、可視光線の波長が使用される場合は、ターゲット部位に送達される活性エネルギー量が影響を受けると考えられている。したがって、正確な量をより確実に送達するためには、毛髪で覆われた部分がほとんどない又は全くないことが好ましい。或いは、活性エネルギーの送達の変化で毛髪の保護効果を補ってもよい。
【００７４】
本発明に使用される照射又は露光は、治療する部分に応じて、体又は頭皮の大きな部分又は小さな部分に行う。露光した皮膚の火傷を防ぐために、患者の紅斑の量（ＭＥＤ）に発生を最小限にするために、治療を行う前に露光時間を評価する。
【００７５】
ＰＤＴは単独治療でもよいが、治療を繰り返すことが好ましい。頻度は様々である。例えば、毎日、２日に１回、１週間に２回、１週間に１回、２週間に１回、１ヶ月に２回、４週間に１回、１ヶ月に１回、６週間に１回、８週間に１回、２ヶ月に１回、３ヶ月に１回、１年に２回又は１年に１回、或いは発毛を刺激するために又は効果的な状態を維持するために適する他の間隔で、治療を行うことができる。好ましくは、治療が少なくとも６ヶ月に１回繰り返される。より好ましくは、少なくとも３ヶ月に１回である。さらに好ましくは、少なくとも２ヶ月に１回である。
【００７６】
治療の全回数は、１回〜必要とするだけ多くの回数の範囲とすることができる。脱毛が確認されるケースでは、定期的な維持療法を開始し、持続する。３ヶ月ごとの治療の全回数を１〜１２回とすることが好ましく、より好ましくは１〜６回、更により好ましくは２〜３回とする。
【００７７】
光線感作物質の投与と活性エネルギーの投与との間の時間は、因子の数によって変わる。皮膚に光線感作物質がまだ存在する限り、光線感作物質の投与後、適当ないずれの時に活性エネルギーを送達する。光線感作物質の投与後に、約５分〜約６時間の期間活性エネルギー治療を行うことが好ましく、３０分〜４時間の範囲がより好ましい。更により好ましくは、光線感作物質の投与後に、約２時間光線を与えることが好ましい。
【００７８】
これまで、概略的に本発明を説明してきたが、例として示す以下の実施例を参照することにより、同様のことがより容易に理解されるであろう。特に明記されない限り、下記の実施例は本発明を限定するためのものではない。
【実施例】
【００７９】
計１０名の被験者を治療した。被験者は全て、２型又は３型頭頂部脱毛症の１８歳以上のヒトの男性で、ハミルトン・ノーウッドの分類に従って評価した。全ての被験者について、頭皮頭頂部の円形のテスト部位３ヶ所のうち２ヶ所に、０．２重量％（ｗ／ｗ）のＱＬＴ００７４局所軟膏を単独使用した。各テスト部位に塗付した軟膏の量は、約２２４ｍｇ（テスト部位１ヶ所に対する、光線感作物質は約０．４４ｍｇ）。２時間後に、余分な薬剤を除去し、赤色光（ＬＥＤ６９０ｎｍ）をテスト部位３ヶ所のうち２ヶ所に照射した。他のテスト部位は、薬剤も投与せず光線の照射もせず、コントロールとして用いた。
【００８０】
２つの光量コホート（５０Ｊ／ｃｍ２及び７５Ｊ／ｃｍ２）を調査した。各コホートは５名の被験者からなる。
【００８１】
治療中及び治療後にあらゆる有害事象を観察することにより、安全性を評価した。深刻な有害事象は報告されなかった。
【００８２】
治療の３ヵ月後に毛髪数を計測し、基準数と比較することによって、有効性を評価した。これらの結果を表１に示す。
【００８３】
［表１］
2006514567.tif 000006
【００８４】
結果から、ＡＧＡ（アンドロゲン性脱毛症）に関連する脱毛症の被験者において、ＰＤＴ単独治療によって毛髪数を増加できることが示される。
【００８５】
特許、特許出願及び公報を含む、本明細書に引用された全ての参考文献の内容は、前述部分で具体的に組み込まれているかどうかに関わらず、参照することにより本明細書に組み込まれる。
【００８６】
これまで本発明について十分に説明してきたので、同等のパラメータ、濃度及び条件を使用する広い範囲において、当業者であれば、過度の実験を必要とせずに、本発明を実施可能であることが理解されるであろう。本出願は、本発明が関連する当業界のほぼ既知又は慣行であるような本開示からの逸脱、及び前述の基本的特徴を応用する本開示からの逸脱等の、本発明の原理に一般的に従う、本発明のあらゆる変形、使用、適合を包含するものとする。
【国際調査報告】
2006514567.tif 000007
2006514567.tif 000008
2006514567.tif 000009